(57)【要約】【課題】機能部品の取り付けに係る作業性をより高くする。【解決手段】オペレーションボックス３０と壁部６１と、を備え、オペレーションボックス３０には、壁部６１に向かって延びる延設部４１、延設部４２及び延設部４３がそれぞれ設けられ、延設部４１，４３は、前側から壁部６１に対して係止する構成とされ、延設部４２は、後側から壁部６１に対して係止する構成とされ、延設部４１の先端部には、傾斜面４１Ａが設けられ、延設部４２の先端部には、傾斜面４２Ａが設けられ、延設部４３の先端部には、傾斜面４３Ａが設けられ、壁部６１はオペレーションボックス３０側に開口された開口部６３を有し、開口部６３の内面の一部は被当接面６３Ａとされ、オペレーションボックス３０には、被当接面６３Ａに対して下方から当接すると共に被当接面６３Ａに沿って延びる当接面４５Ａを有する当接部４５が設けられていることに特徴を有する。【選択図】図８
2019196884.tif 000002
【特許請求の範囲】
【請求項１】
機能部品と、
前記機能部品の側方に配され、前記機能部品が取り付けられる被取付部材と、を備え、
前記機能部品における前記被取付部材側の端部には、前記被取付部材に向かって延びる第１延設部、第２延設部及び第３延設部がそれぞれ設けられ、
前記第１延設部、前記第２延設部及び前記第３延設部は、上下方向に沿って並ぶ形で配されており、
前記第１延設部は、前記機能部品及び前記被取付部材の並び方向と直交する方向の一方側から、前記被取付部材に対して係止する構成とされ、
前記第１延設部の下方に配される前記第２延設部は、前記並び方向と直交する前記方向の他方側から前記被取付部材に対して係止する構成とされ、
前記第２延設部の下方に配される前記第３延設部は、前記並び方向と直交する前記方向の一方側から前記被取付部材に対して係止する構成とされ、
前記第１延設部の先端部には、前記第１延設部の先端に向かうにつれて前記被取付部材から遠ざかる側に向かう形で傾斜する第１傾斜面が設けられ、
前記第２延設部の先端部には、前記第２延設部の先端に向かうにつれて前記被取付部材から遠ざかる側に向かう形で傾斜する第２傾斜面が設けられ、
前記第３延設部の先端部には、前記第３延設部の先端に向かうにつれて前記被取付部材から遠ざかる側に向かう形で傾斜する第３傾斜面が設けられ、
前記被取付部材は前記機能部品側に開口された開口部を有し、
前記開口部の内面の一部は、前記機能部品側及び下方を向く被当接面とされ、
前記機能部品における前記被取付部材側の端部には、前記被当接面に対して下方から当接すると共に前記被当接面に沿って延びる当接面を有する当接部が設けられている冷却貯蔵庫。
【請求項２】
圧縮機が収容される機械室を備え、
前記被取付部材は、前記機械室の底面に設けられ、
前記機能部品は、前記底面によって下方から支持される底面を有しており、
前記機能部品の前記底面における前記被取付部材側の端部には、前記被取付部材に向かうにつれて上昇傾斜する傾斜面が接続されている請求項１に記載の冷却貯蔵庫。
【請求項３】
前記第１延設部における前記被取付部材とは反対側の面には、前記被取付部材から遠ざかる側に向かって延びるリブが設けられている請求項１又は請求項２に記載の冷却貯蔵庫。
【発明の詳細な説明】
【技術分野】
【０００１】
本発明は、冷却貯蔵庫に関する。
【背景技術】
【０００２】
従来、冷却貯蔵庫として、支柱に対して、電子制御箱（機能部品）が取り付けられる構成のものが知られている（下記特許文献１）。特許文献１の構成では、電子制御箱が有する複数の突起が支柱の縦壁を前後から挟みつけることによって、電子制御箱が前後方向に位置決めされている。
【先行技術文献】
【特許文献】
【０００３】
【特許文献１】登録実用新案第２５７７２３５号公報
【発明の概要】
【発明が解決しようとする課題】
【０００４】
上記構成においては、電子制御箱を取り付ける際には、複数の突起の間に支柱の縦壁を差し込む必要があるが、突起の端面が縦壁に当接する可能性があり、その場合には、取り付けに係る作業性が低下してしまう。
【０００５】
本発明は上記のような事情に基づいて完成されたものであって、機能部品の取り付けに係る作業性をより高くすることが可能な冷却貯蔵庫を提供することを目的とする。
【課題を解決するための手段】
【０００６】
上記課題を解決するために、本発明の冷却貯蔵庫は、機能部品と、前記機能部品の側方に配され、前記機能部品が取り付けられる被取付部材と、を備え、前記機能部品における前記被取付部材側の端部には、前記被取付部材に向かって延びる第１延設部、第２延設部及び第３延設部がそれぞれ設けられ、前記第１延設部、前記第２延設部及び前記第３延設部は、上下方向に沿って並ぶ形で配されており、前記第１延設部は、前記機能部品及び前記被取付部材の並び方向と直交する方向の一方側から、前記被取付部材に対して係止する構成とされ、前記第１延設部の下方に配される前記第２延設部は、前記並び方向と直交する前記方向の他方側から前記被取付部材に対して係止する構成とされ、前記第２延設部の下方に配される前記第３延設部は、前記並び方向と直交する前記方向の一方側から前記被取付部材に対して係止する構成とされ、前記第１延設部の先端部には、前記第１延設部の先端に向かうにつれて前記被取付部材から遠ざかる側に向かう形で傾斜する第１傾斜面が設けられ、前記第２延設部の先端部には、前記第２延設部の先端に向かうにつれて前記被取付部材から遠ざかる側に向かう形で傾斜する第２傾斜面が設けられ、前記第３延設部の先端部には、前記第３延設部の先端に向かうにつれて前記被取付部材から遠ざかる側に向かう形で傾斜する第３傾斜面が設けられ、前記被取付部材は前記機能部品側に開口された開口部を有し、前記開口部の内面の一部は、前記機能部品側及び下方を向く被当接面とされ、前記機能部品における前記被取付部材側の端部には、前記被当接面に対して下方から当接すると共に前記被当接面に沿って延びる当接面を有する当接部が設けられていることに特徴を有する。
【０００７】
第１延設部、第２延設部及び第３延設部を被取付部材に対して側方から近づけることで、一対の延設部（第１延設部及び第３延設部）と、第２延設部との間に被取付部材を差し入れることで、一対の延設部（第１延設部及び第３延設部）と第２延設部によって被取付部材を挟持することができる。また、第１延設部、第２延設部及び第３延設部は、それぞれ先端に向かうにつれて被取付部材から遠ざかる形で傾斜する傾斜面を有することから、一対の延設部（第１延設部及び第３延設部）と第２延設部の間に被取付部材を誘導することができ、取り付けに係る作業性をより高くすることができる。また、被当接面に対して下方から当接する当接面を有することで、被取付部材に対して機能部品が上方に変位することを規制できる。
【０００８】
また、圧縮機が収容される機械室を備え、前記被取付部材は、前記機械室の底面に設けられ、前記機能部品は、前記底面によって下方から支持される底面を有しており、前記機能部品の前記底面における前記被取付部材側の端部には、前記被取付部材に向かうにつれて上昇傾斜する傾斜面が接続されているものとすることができる。
【０００９】
機能部品の底面を機械室の底壁部によって支持させつつ、被取付部材側にスライドさせることで、機能部品を被取付部材に取り付けることができる。ここで、機能部品の底面における被取付部材側の端部には、被取付部材に向かうにつれて上昇傾斜する傾斜面が接続されている。このため、仮に機械室の底壁部上に締結部材などが露出している場合において、機能部品を被取付部材側にスライドさせる際に、締結部材に対して機能部品が引っ掛かる事態を抑制でき、機能部品を被取付部材側に容易にスライドさせることができる。
【００１０】
また、前記第１延設部における前記被取付部材とは反対側の面には、前記被取付部材から遠ざかる側に向かって延びるリブが設けられているものとすることができる。第１延設部は、機能部品及び被取付部材の並び方向と直交する方向の一方側から、被取付部材に対して係止する構成であるが、被取付部材に対して機能部品を取り付ける際には、第１延設部が被取付部材に対して並び方向と直交する方向の他方側に配される場合が懸念される。上記構成では、このような場合に、機能部品を被取付部側に近づけると、リブと被取付部材とが干渉する。このため、第１延設部が被取付部材に対して他方側に配されていることを作業者が確認することができ、第１延設部を被取付部材に対して一方側となるように位置調整することで、被取付部材に対する機能部品の取付を正しく行うことができる。
【発明の効果】
【００１１】
本発明によれば、機能部品の取り付けに係る作業性をより高くすることが可能な冷却貯蔵庫を提供することができる。
【図面の簡単な説明】
【００１２】
【図１】本発明の一実施形態に係る冷却貯蔵庫を示す正面図
【図２】冷却貯蔵庫を示す斜視図
【図３】オペレーションボックスを示す斜視図
【図４】オペレーションボックスが取り付けられる支柱を示す斜視図（後側から視た図）
【図５】支柱を示す正面図
【図６】オペレーションボックス及び支柱を示す正面図
【図７】オペレーションボックスを右側から視た図
【図８】支柱に対してオペレーションボックスを取り付ける過程を示す正面図
【図９】支柱に対してオペレーションボックスを取り付ける過程を示す平面図
【図１０】図９において延設部付近を示す拡大図
【図１１】オペレーションボックスを後側から視た図
【図１２】支柱に対してオペレーションボックスを取り付ける過程において延設部付近を後側から視た図
【図１３】後傾姿勢のオペレーションボックスを右側から視た図
【図１４】電装箱を示す斜視図
【図１５】電装箱を示す分解斜視図
【図１６】電装箱のカバーを展開した状態を示す図
【発明を実施するための形態】
【００１３】
本発明の一実施形態を図１から図１６によって説明する。本実施形態では、図１に示すように、冷却貯蔵庫１０として、４ドア式の冷蔵庫を例示する。冷却貯蔵庫１０は、図１及び図２に示すように、貯蔵物が配される貯蔵室（図示せず）を有する断熱箱体１１と、断熱箱体１１の上方に配された機械室１２と、を備える。断熱箱体１１には、上下方向に２組配列された左右一対の扉１３，１３が回動可能に取り付けられており、貯蔵室は扉１３によって開閉可能な構成となっている。以下の説明では、扉１３側を前側、扉１３とは反対側を後側とし、前後方向をＹ軸方向とする。また、図１に示す正面視（冷却貯蔵庫１０を前側から視た状態）における左右方向を冷却貯蔵庫１０の左右方向（Ｘ軸方向）とする。
【００１４】
機械室１２には、図２に示すように、冷却装置１４及び電装箱２４が収容されている。冷却装置１４（冷凍ユニット）は、凝縮器１５と、凝縮器ファン１６と、圧縮機１７と、を備える。また、凝縮器１５は、エアフィルタ１８によって前方から覆われている。冷却装置１４は、断熱箱体１１の上部（冷却器室）に配された冷却器（図示せず）と冷媒管（図示せず）によって循環接続されている。これにより、冷却装置１４が駆動することで冷却器が冷気を生成する構成となっている。機械室１２は、上方と後方に開口されており、フロントパネル１９及び左右のサイドパネル２０，２０によって構成されている。断熱箱体１１の上面は、方形状をなし、その四隅には、支柱２２が設けられている。サイドパネル２０，２０は前後方向に並ぶ一対の支柱２２，２２に固定されている。フロントパネル１９は、その上端部を回動中心として、前側において左右方向に並ぶ一対の支柱２２，２２に対して回動可能に取り付けられている。これにより、機械室１２の前方をフロントパネル１９によって開閉可能となっている。また、後側において左右方向に並ぶ一対の支柱２２，２２は、長手状をなす補強材２３によって連結されている。
【００１５】
支柱２２は、金属製の板材によって構成され、図４に示すように、上下方向に長い長手状をなし、平面視において略Ｌ字状をなす。４つの支柱２２のうち、前側且つ右側に配された支柱２２には、オペレーションボックス３０が取り付けられている。以下の説明では、オペレーションボックス３０が取り付けられる支柱２２に符号６０を付して他の支柱２２と区別する。オペレーションボックス３０（機能部品）は、図３に示すように、横長の直方体形状をなし、オペレーションボックス３０の前側を構成するボックス本体部３３と、後側を主に構成する合成樹脂製の箱体３４と、を備える。ボックス本体部３３は、冷却貯蔵庫１０に係る操作や設定等を行うための操作スイッチ３１（操作部）と、冷却貯蔵庫１０に係る情報（例えば庫内温度等）が表示される表示部３２と、を備える。表示部３２は、図１に示すように、フロントパネル１９に設けられた透明部材１９Ａ（ガラスなど）を通じて前方からを視認可能となっている。
【００１６】
支柱６０は、図４に示すように、機械室１２の底面を構成するパネル部材２５（底壁部）から立ち上がる形で設けられ、パネル部材２５に対してフランジ部６４においてねじ止めされている。支柱６０は、前面及び後面を有する壁部６１（前壁部）と、壁部６１の右側端部から後方に延びる側壁部６２とを備える。なお、図４は支柱６０を後側から視た斜視図である。側壁部６２は、サイドパネル２０の主壁部２０Ａに沿って配される。右側のサイドパネル２０の前壁部２１は、図５に示すように、支柱６０の壁部６１の前側に配され、壁部６１に形成されたねじ孔６１Ａに対してねじ止めにより固定される。
【００１７】
また、支柱６０の上部には、フロントパネル１９の係止爪（図示せず）が挿通される切欠部６５が形成されており、その切欠部６５の開口縁部には、フロントパネル１９の係止爪が後側から係止する突片６６が形成されている。切欠部６５は上方にも開口されているため、フロントパネル１９は機械室１２を閉じる閉位置と機械室１２の前方を開放する開位置との間で回動可能となっている。また、支柱６０の壁部６１の下部には、フロントパネル１９が有する弾性係止部（図示せず）が挿通される貫通孔６７及びその弾性係止部が後側から係止する突片６８が設けられている。弾性係止部が突片６８に係止することで、フロントパネル１９が閉位置で保持される。
【００１８】
支柱６０は、図６に示すように、オペレーションボックス３０の右側の側方に配され、オペレーションボックス３０は、支柱６０の壁部６１（被取付部材）に対して左側から取り付けられる。つまり、オペレーションボックス３０と壁部６１とは左右方向（機能部品及び被取付部材の並び方向）に並んでいる。図３に示すように、オペレーションボックス３０の箱体３４における壁部６１側の端部には、壁部６１に向かって延びる延設部４１、延設部４２及び延設部４３がそれぞれ設けられている。延設部４１、延設部４２及び延設部４３は、上下方向に沿って並ぶ形で配されている。
【００１９】
延設部４１（第１延設部）及び延設部４３（第３延設部）は、延設部４２（第２延設部）に対して前側に配されている。図６及び図７に示すように、延設部４１及び延設部４３は、前側（機能部品及び被取付部材の並び方向と直交する方向の一方側）から壁部６１に対して係止する構成とされ、延設部４２は、後側（機能部品及び被取付部材の並び方向と直交する方向の他方側）から壁部６１に対して係止する構成とされる。これにより、一対の延設部４１，４３と、延設部４２とによって壁部６１を前後方向から挟持することで、オペレーションボックス３０を前後方向について固定することができる。
【００２０】
図３及び図１０に示すように、延設部４１の先端部には、延設部４１の先端に向かうにつれて前側（被取付部材から遠ざかる側）に向かう形で傾斜する傾斜面４１Ａ（第１傾斜面）が設けられている。延設部４２の先端部には、延設部４２の先端に向かうにつれて後側（被取付部材から遠ざかる側）に向かう形で傾斜する傾斜面４２Ａ（第２傾斜面）が設けられている。延設部４３の先端部には、延設部４３の先端に向かうにつれて前側（被取付部材から遠ざかる側）に向かう形で傾斜する傾斜面４３Ａ（第３傾斜面）が設けられている。
【００２１】
また、図３に示すように、延設部４１における前面（被取付部材とは反対側の面）には、前側（被取付部材から遠ざかる側）に向かって延びるリブ４１Ｂが設けられている。延設部４３における前面には、前側に向かって延びるリブ４３Ｂが設けられている。図７に示すように、リブ４１Ｂは、リブ４３Ｂよりも前後方向の長さが大きい値で設定されている。また、図７に示すように、延設部４２における後面には、後側に向かって延びるリブ４２Ｂが設けられている。図３及び図７に示すように、リブ４１Ｂ，４２Ｂ，４３Ｂは、それぞれ延設部４１，４２，４３に対して直交する形で設けられ、左側の端部において箱体３４と連結されている。このため、各リブ４１Ｂ，４２Ｂ，４３Ｂによって各延設部４１，４２，４３の剛性をより高くすることができる。なお、延設部４１，４２，４３及びリブ４１Ｂ，４２Ｂ，４３Ｂは箱体３４と一体的に形成されている。なお、各リブ４１Ｂ，４２Ｂ，４３Ｂは、それぞれ各延設部４１，４２，４３に対して直交していなくてもよい。
【００２２】
また、図８に示すように、壁部６１は、オペレーションボックス３０側（図８の左側）に開口された開口部６３を有している。開口部６３の内面の一部は、オペレーションボックス３０側及び下方を向く被当接面６３Ａとされる。つまり、被当接面６３Ａは、オペレーションボックス３０側に向かうにつれて上昇傾斜する傾斜面となっている。これに対して、箱体３４における壁部６１側の端部には、壁部６１に向かうにつれて下降傾斜する当接面４５Ａを有する当接部４５が設けられている。図６に示すように、当接面４５Ａは、被当接面６３Ａに沿って延びる面であり、被当接面６３Ａに対して下方から当接する構成となっている。図３に示すように、当接部４５は、延設部４３の後面に対して一体的に形成され、その延設長さは、延設部４３よりも小さいものとされる。
【００２３】
図７に示すように、箱体３４の底面は、後側の底面３７が前側の底面３９に比して高い段差状をなしており、後側の底面３７はパネル部材２５の上面２５Ｂ（機械室の底面）によって下方から支持されている。図１１及び図１２に示すように、底面３７における壁部６１側（図の左側）の端部には、壁部６１に向かうにつれて上昇傾斜する傾斜面３８が接続されている。また、図６及び図７に示すように、パネル部材２５の上面において、壁部６１と隣接する箇所には、パネル部材２５を他のパネル部材に締結するリベットの頭部２６が露出されている。
【００２４】
箱体３４の後面には、図７及び図９に示すように、ブラケット３５が一体的に設けられている。ブラケット３５には、図９に示すように貫通孔３５Ａが形成されている。これに対して、パネル部材２５には、貫通孔３５Ａと重なる箇所にねじ挿通孔２５Ａが形成されている。ブラケット３５は、貫通孔３５Ａ及びねじ挿通孔２５Ａにねじ３６（図７参照）を挿通させることでパネル部材２５に対して固定されている。なお、図９はオペレーションボックス３０の取付過程を示す図であるため、貫通孔３５Ａ及びねじ挿通孔２５Ａは左右方向に位置がずれている。
【００２５】
次に機械室１２に収容された電装箱２４の構成について説明する。電装箱２４は、図１４に示すように、前後方向に長い箱状をなし、図１５に示すように、右側及び上側に開口された箱状をなす電装箱本体部７０と、カバー７１とを備える。電装箱２４内には、例えば、各機器（冷却装置１４、オペレーションボックス３０等）の動作を制御するための制御基板や、各機器に給電を行うための給電部等が収容されている。カバー７１は、一枚のパネル部材を折り曲げることで構成されており、図１５に示すように、電装箱本体部７０を上側から覆う上壁部７２と、電装箱本体部７０を右側から覆う側壁部７３と、を備える。
【００２６】
側壁部７３の下端には、複数の突起部７４が形成されている。突起部７４は、電装箱本体部７０の底壁部に設けられた取付孔７５に対して上方から挿通される。なお、突起部７４の長さは、取付孔７５から抜け難い長さで設定されており、例えば１４ｍｍ程度とされるが、これに限定されない。上壁部７２の対角に位置する一対の隅部には、貫通孔７６がそれぞれ形成されている。貫通孔７６には、ねじ７７（図１４参照）が挿通され、ねじ７７は、電装箱本体部７０のフランジ部７８に形成されたねじ孔７９に挿通される。このため、上壁部７２は、対角に位置する２個所で電装箱本体部７０に対してねじ止めされている。また、上壁部７２と側壁部７３の境界部分の後端部には、切欠部８０が形成されている。切欠部８０は、図１６のカバー７１の展開図に示すように、カバー７１の展開状態においてＲ形状をなしている。このようなＲ形状をなす切欠部８０を設けることで、冷却貯蔵庫１０を運搬する際等にカバー７１が振動した場合に上壁部７２と側壁部７３の境界部分の後端部に亀裂が生じる事態をより確実に抑制することができる。特に本実施形態では、上壁部７２と側壁部７３の境界部分の後端部は、一対のねじ７７，７７から遠い箇所であり、振動し易い箇所であるが、切欠部８０を設けることで振動に伴う亀裂の発生を抑制することができる。
【００２７】
次に本実施形態の効果について説明する。本実施形態では、オペレーションボックス３０、ひいては延設部４１，４２，４３を壁部６１に対して側方から近づけることで、一対の延設部４１，４３と、延設部４２との間に壁部６１を差し入れることで、一対の延設部４１，４３と延設部４２によって壁部６１を挟持することができる。また、延設部４１，４２，４３は、それぞれ先端に向かうにつれて壁部６１から遠ざかる形で傾斜する傾斜面４１Ａ，４２Ａ，４３Ａを有することから、一対の延設部４１，４３と延設部４２の間に壁部６１を誘導することができ、取り付けに係る作業性をより高くすることができる。また、被当接面６３Ａに対して下方から当接する当接面４５Ａを有することで、壁部６１に対してオペレーションボックス３０が上方に変位することを規制できる。また、延設部４１，４２，４３によって前後方向にオペレーションボックス３０が確実に固定されているため、例えばオペレーションボックス３０の操作スイッチ３１を押圧した際にオペレーションボックス３０が後側に変位する事態をより確実に抑制することができる。また、このような延設部４１，４２，４３を備えることで、オペレーションボックス３０をパネル部材２５に対してねじ止めするねじ３６の本数を減らすことができる。このため、本実施形態では、例えば１本のねじ３６によって、オペレーションボックス３０がパネル部材２５に対して締結されている。
【００２８】
また、少なくとも圧縮機１７が収容される機械室１２を備え、壁部６１は、パネル部材の上面２５Ｂに設けられ、オペレーションボックス３０は、上面２５Ｂによって下方から支持される底面３７を有しており、オペレーションボックス３０の底面３７における壁部６１側の端部には、壁部６１に向かうにつれて上昇傾斜する傾斜面３８が接続されている。このような構成とすれば、図８に示すように、オペレーションボックス３０の底面３７をパネル部材２５の上面２５Ｂによって支持させつつ、壁部６１側にスライドさせることで、オペレーションボックス３０を壁部６１に取り付けることができる。本実施形態では図１２に示すように、パネル部材２５において壁部６１に近い箇所にリベットの頭部２６が露出しており、オペレーションボックス３０をスライドさせて壁部６１に取り付ける際に、頭部２６に箱体３４が接触する場合がある。オペレーションボックス３０の箱体３４は、傾斜面３８を有することから、オペレーションボックス３０を壁部６１側にスライドさせる際に、頭部２６に対して箱体３４が引っ掛かる事態を抑制でき、オペレーションボックス３０を壁部６１側に容易にスライドさせることができる。
【００２９】
また、延設部４１における前面には、前側に向かって延びるリブ４１Ｂが設けられている。延設部４１は、前側から壁部６１に対して係止する構成であるが、図１３に示すように、壁部６１に対してオペレーションボックス３０を取り付ける際にオペレーションボックス３０が後傾姿勢となった際には、延設部４１が壁部６１に対して後側に配される場合が懸念される。本実施形態では、このような場合に、オペレーションボックス３０を壁部６１側（図１３では手前側）に近づけると、リブ４１Ｂと壁部６１とが干渉する。このため、延設部４１が壁部６１に対して後側に配されていることを作業者が確認することができ、延設部４１を壁部６１に対して前側となるようにオペレーションボックス３０の姿勢や位置を調整することで、壁部６１に対するオペレーションボックス３０の取付を正しく行うことができる。なお、本実施形態では延設部４３の前面にもリブ４３Ｂが設けられており、延設部４３が壁部６１に対して後側に配されていることを確認することができる。
【００３０】
＜他の実施形態＞
本発明は上記記述及び図面によって説明した実施形態に限定されるものではなく、例えば次のような実施形態も本発明の技術的範囲に含まれる。
（１）上記実施形態では、冷却貯蔵庫として、冷蔵庫を例示したが、これに限定されない。冷却貯蔵庫として、冷凍庫やショーケース等を例示することができる。
（２）断熱箱体と機械室の位置関係は上記実施形態で例示したものに限定されず、適宜変更可能である。例えば、機械室が断熱箱体の下方や側方に配されていてもよい。
（３）上記実施形態では、３つの延設部のうち、一対の延設部が壁部６１に対して前側から係止し、残りの一つの延設部が壁部６１に対して後側から係止する構成を例示したが、これに限定されない。例えば、一対の延設部が壁部６１に対して後側から係止し、残りの一つの延設部が壁部６１に対して前側から係止してもよい。
（４）上記実施形態では、機能部品として、オペレーションボックスを例示したが、これに限定されない。機能部品としては、操作スイッチ３１（操作部）のみを備えるものや表示部３２のみを備えるもの、又は電装箱等を例示することができる。
（５）上記構成では、オペレーションボックスが下方から支持される構成を例示したが、これに限定されず、例えばオペレーションボックスが機械室に配されたブラケットから吊り下げられる形で固定されていてもよい。
（６）上記実施形態では、機能部品が機械室の前部に配されている構成を例示したが、これに限定されない。例えば機能部品が機械室の側部や後部に配されていてもよい。
（７）上記実施形態では、被取付部材として板状をなす壁部６１を例示したが、被取付部材は板状に限定されず、例えば、棒状や角柱状をなしていてもよい。
【符号の説明】
【００３１】
１０…冷却貯蔵庫、１２…機械室、１７…圧縮機、２５…パネル部材（底壁部）、２５Ｂ…パネル部材の上面（機械室の底面）、３０…オペレーションボックス（機能部品）、３７…底面（機能部品の底面）、３８…傾斜面、４１…延設部（第１延設部）、４１Ａ…傾斜面（第１傾斜面）、４１Ｂ…リブ、４２…延設部（第２延設部）、４２Ａ…傾斜面（第２傾斜面）、４３…延設部（第３延設部）、４３Ａ…傾斜面（第３傾斜面）、４５…当接部、４５Ａ…当接面、６１…壁部（被取付部材）、６３…開口部、６３Ａ…被当接面
【図１】
2019196884.tif 000003
【図２】
2019196884.tif 000004
【図３】
2019196884.tif 000005
【図４】
2019196884.tif 000006
【図５】
2019196884.tif 000007
【図６】
2019196884.tif 000008
【図７】
2019196884.tif 000009
【図８】
2019196884.tif 000010
【図９】
2019196884.tif 000011
【図１０】
2019196884.tif 000012
【図１１】
2019196884.tif 000013
【図１２】
2019196884.tif 000014
【図１３】
2019196884.tif 000015
【図１４】
2019196884.tif 000016
【図１５】
2019196884.tif 000017
【図１６】
2019196884.tif 000018